(57)【特許請求の範囲】
【請求項１】
肌当接側に位置する透液性表面シートと、肌非当接側に位置する不透液性裏面シートと、それらシートの間に介在する吸液性コアとから構成され、縦方向に前胴周り域および後胴周り域と、それら胴周り域の間に位置する股下域とを備え、前記股下域の両側に横方向内方へ向かって実質的に弧を画く脚周り当接縁部を有し、前記脚周り当接縁部が、前記股下域から前記前後胴周り域へ向かって前記縦方向へ延びる第１当接縁部と、前記前胴周り域の側に位置する前記第１当接縁部の前部から横方向外方へ向かって延びる第２当接縁部と、前記後胴周り域の側に位置する前記第１当接縁部の後部から前記横方向外方へ向かって延びる第３当接縁部とから形成された使い捨て着用物品において、
前記肌当接側に位置して横方向へ延びる実質的に不透液性の防漏シートが、前記第２および第３当接縁部の少なくとも一方に取り付けられ、前記防漏シートが、前記第２および第３当接縁部の前記少なくとも一方を前記横方向へ延びる固定縁部と、前記固定縁部と並行して前記胴周り域の側を前記横方向へ延びる自由縁部と、前記第１当接縁部の側を前記縦方向へ延びる固定内端部と、前記固定内端部から横方向外方へ所与寸法離間して前記縦方向へ延びる固定外端部とを有することを特徴とする前記物品。
【請求項２】
前記防漏シートが、前記固定内端部から前記固定外端部へ向かうにつれて前記物品を前記縦方向へ二分する横中心線から次第に離間するように延びている請求項１記載の物品。
【請求項３】
前記肌当接側に位置して前記縦方向へ延びる実質的に不透液性の防漏カフが、前記脚周り当接縁部近傍に前記縦方向へ伸長状態で取り付けられ、前記防漏カフが、前記脚周り当接縁部近傍を前記縦方向へ延びる固定縁部と、前記表面シートの上方へ起立性向を有して前記縦方向へ延びる自由縁部と、前記前後胴周り域に位置して前記横方向内方と前記横方向外方とのいずれか一方へ倒伏した固定前後端部とを有し、前記防漏シートが、前記防漏カフの外側に位置している請求項１または請求項２に記載のおむつ。
【請求項４】
前記防漏シートの固定内端部が、前記防漏カフの自由縁部に固着されている請求項３記載のおむつ。
【請求項５】
前記防漏カフと前記防漏シートとが、実質的に非伸縮性の帯状シートから形成され、前記縦方向へ延びる伸縮性の第１弾性部材が、前記防漏カフの自由縁部に前記縦方向へ伸長状態で取り付けられ、前記横方向へ延びる伸縮性の第２弾性部材が、前記防漏シートの自由縁部に前記横方向へ伸長状態で取り付けられている請求項３または請求項４に記載のおむつ。
【請求項６】
前記防漏カフと前記防漏シートとが、弾性的な伸縮性を有する帯状シートから形成され、前記防漏シートが、前記第２および第３当接縁部の少なくとも一方に前記横方向へ伸長状態で取り付けられている請求項３または請求項４に記載のおむつ。
【発明の詳細な説明】
【０００１】
【発明の属する技術分野】
本発明は、排泄物を吸収、保持する使い捨て着用物品に関する。
【０００２】
【従来の技術】
特開平８−３２２８７６号公報は、透液性表面シートと不透液性裏面シートとの間に吸液性コアが介在し、縦方向に前胴周り域および後胴周り域と、それら胴周り域の間に位置する股下域とを備え、股下域の両側に横方向内方へ向かって実質的に弧を画く脚周り当接縁部を有し、縦方向へ延びる実質的に不透液性の防漏カフが脚周り当接縁部近傍に縦方向へ伸長状態で取り付けられた使い捨て着用物品を開示している。
【０００３】
脚周り当接縁部は、コアの両側縁の外側を股下域から前後胴周り域へ向かって縦方向へ延びる第１当接縁部と、前胴周り域の側に位置する第１当接縁部の前部から横方向外方へ向かって延びる第２当接縁部と、後胴周り域の側に位置する第１当接縁部の後部から前記横方向外方へ向かって延びる第３当接縁部とから形成されている。
【０００４】
防漏カフは、第１当接縁部を縦方向へ延びる固定縁部と、表面シートの上方へ起立性向を有して縦方向へ延びる自由縁部と、前後胴周り域に位置して物品の横方向内方へ倒伏した固定前後端部とを有する。自由縁部には、縦方向へ延びる伸縮性の弾性部材が伸長状態で取り付けられている。このおむつでは、それが表面シートを内側にして湾曲すると、防漏カフの自由縁部が縦方向へ収縮し、自由縁部が表面シートの上方へ起立する。このおむつでは、防漏カフの自由縁部が排泄物に対する障壁を形成し、第１当接縁部からの排泄物の漏出を防ぐことができる。
【０００５】
【発明が解決しようとする課題】
同号公報に開示のおむつでは、防漏カフの固定前後端部が物品の横方向内方へ倒伏しているので、固定前後端部が排泄物に対する障壁として機能せず、軟便や水様便等の流動性排泄物が防漏カフの固定前後端部を容易に乗り越えてしまい、第２および第３当接縁部へ向かって流動した流動性排泄物がそれら当接縁部から漏出する場合がある。
【０００６】
本発明の課題は、第２および第３当接縁部からの排泄物の漏出を防ぐことができる使い捨て着用物品を提供することにある。
【０００７】
【課題を解決するための手段】
前記課題を解決するための本発明の前提は、肌当接側に位置する透液性表面シートと、肌非当接側に位置する不透液性裏面シートと、それらシートの間に介在する吸液性コアとから構成され、縦方向に前胴周り域および後胴周り域と、それら胴周り域の間に位置する股下域とを備え、前記股下域の両側に横方向内方へ向かって実質的に弧を画く脚周り当接縁部を有し、前記脚周り当接縁部が、前記股下域から前記前後胴周り域へ向かって前記縦方向へ延びる第１当接縁部と、前記前胴周り域の側に位置する前記第１当接縁部の前部から横方向外方へ向かって延びる第２当接縁部と、前記後胴周り域の側に位置する前記第１当接縁部の後部から前記横方向外方へ向かって延びる第３当接縁部とから形成された使い捨て着用物品である。
【０００８】
かかる前提における本発明の特徴は、前記肌当接側に位置して横方向へ延びる実質的に不透液性の防漏シートが、前記第２および第３当接縁部の少なくとも一方に取り付けられ、前記防漏シートが、前記第２および第３当接縁部の前記少なくとも一方を前記横方向へ延びる固定縁部と、前記固定縁部と並行して前記胴周り域の側を前記横方向へ延びる自由縁部と、前記第１当接縁部の側を前記縦方向へ延びる固定内端部と、前記固定内端部から横方向外方へ所与寸法離間して前記縦方向へ延びる固定外端部とを有することにある。
【０００９】
本発明の実施の態様の一例としては、前記防漏シートが、前記固定内端部から前記固定外端部へ向かうにつれて前記物品を前記縦方向へ二分する横中心線から次第に離間するように延びている。
【００１０】
本発明の実施の態様の他の一例としては、前記肌当接側に位置して前記縦方向へ延びる実質的に不透液性の防漏カフが、前記脚周り当接縁部近傍に前記縦方向へ伸長状態で取り付けられ、前記防漏カフが、前記脚周り当接縁部近傍を前記縦方向へ延びる固定縁部と、前記表面シートの上方へ起立性向を有して前記縦方向へ延びる自由縁部と、前記前後胴周り域に位置して前記横方向内方と前記横方向外方とのいずれか一方へ倒伏した固定前後端部とを有し、前記防漏シートが、前記防漏カフの外側に位置している。
【００１１】
本発明の実施の態様の他の一例としては、前記防漏シートの固定内端部が、前記防漏カフの自由縁部に固着されている。
【００１２】
本発明の実施の態様の他の一例としては、前記防漏カフと前記防漏シートとが、実質的に非伸縮性の帯状シートから形成され、前記縦方向へ延びる伸縮性の第１弾性部材が、前記防漏カフの自由縁部に前記縦方向へ伸長状態で取り付けられ、前記横方向へ延びる伸縮性の第２弾性部材が、前記防漏シートの自由縁部に前記横方向へ伸長状態で取り付けられている。
【００１３】
本発明の実施の態様の他の一例としては、前記防漏カフと前記防漏シートとが、弾性的な伸縮性を有する帯状シートから形成され、前記防漏シートが、前記第２および第３当接縁部の少なくとも一方に前記横方向へ伸長状態で取り付けられている。
【００１４】
【発明の実施の形態】
添付の図面を参照し、本発明にかかる使い捨て着用物品の詳細を開放型の使い捨ておむつを例として説明すると、以下のとおりである。
【００１５】
図１，２は、表面シート２の側から示すおむつ１Ａの部分破断斜視図と、図１のＡ−Ａ線断面図とであり、図３は、前後胴周り域２３，２５を連結した着用状態で示す図１のおむつ１Ａの断面斜視図である。図１では、横方向を矢印Ｘで示し、縦方向を矢印Ｙで示す。なお、表面シート２と裏面シート３との内面とは、コア４に対向する面をいい、それらシート２，３の外面とは、コア４に非対向の面をいう。
【００１６】
おむつ１Ａは、肌当接側に位置する透液性表面シート２と、肌非当接側に位置する不透液性裏面シート３と、それらシート２，３の間に介在する吸液性コア４とを主要な構成部材とする。コア４は、表面シート２と裏面シート３との内面に接合されている。おむつ１Ａは、それら構成部材の他に、表面シート２の外面を縦方向へ延びる実質的に不透液性の防漏カフ５と、防漏カフ５の外側に位置して表面シート２の外面を横方向へ延びる実質的に不透液性の防漏シート６とを有する。
【００１７】
おむつ１Ａは、縦方向に前胴周り域２３および後胴周り域２５と、前後胴周り域２３，２５の間に位置する股下域２４とを備え、前後胴周り域２３，２５を横方向へ延びる両端縁部７と、前後胴周り域２３，２５を縦方向へ延びる両側縁部８とを有する。股下域２４の両側には、おむつ１Ａの横方向内方へ向かって実質的に弧を画く脚周り当接縁部９が延びている。
【００１８】
脚周り当接縁部９は、コア４の両側縁４ｂの外側を股下域２４から前後胴周り域２３，２５へ向かって縦方向へ延びる第１当接縁部１２と、前胴周り域２３の側に位置する第１当接縁部１２の前部１２ａから横方向外方へ向かって延びる第２当接縁部１３と、後胴周り域２５の側に位置する第１当接縁部１２の後部１２ｂから横方向外方へ向かって延びる第３当接縁部１４とから形成されている。第２および第３当接縁部１３，１４は、第１当接縁部１２の前後部１２ａ，１２ｂから横方向外方へ向かうにつれておむつ１Ａを縦方向へ二分する横中心線Ｚから次第に離間するように延びている。
【００１９】
防漏カフ５は、実質的に非伸縮性の帯状シートから形成されている。防漏カフ５は、脚周り当接縁部９近傍に縦方向へ伸長状態で取り付けられ、股下域２４から前後胴周り域２３，２５へ向かって延びている。
【００２０】
防漏カフ５は、脚周り当接縁部９近傍を縦方向へ延びる固定縁部５ａと、表面シート２の上方へ起立性向を有して縦方向へ延びる自由縁部５ｂと、前後胴周り域２３，２５に位置しておむつ１Ａの横方向内方へ倒伏した固定前後端部５ｃとを有する。防漏カフ５は、固定縁部５ａが脚周り当接縁部９に固着され、固定前後端部５ｃが両端縁部７に固着されている。
【００２１】
防漏カフ５では、固定縁部５ａから横方向外方へ側部５ｄが延びている。防漏カフ５の自由縁部５ｂには、縦方向へ延びる伸縮性の弾性部材１５が伸長状態で取り付けられている。弾性部材１５は、自由縁部５ｂの一部に被覆されている。
【００２２】
防漏シート６は、実質的に非伸縮性の帯状シートから形成されている。防漏シート６は、第３当接縁部１４に横方向へ伸長状態で取り付けられ、第１当接縁部１２の後部１２ｂから後胴周り域２５の両側縁部８へ向かって延びている。
【００２３】
防漏シート６は、第３当接縁部１４を横方向へ延びる固定縁部６ａと、固定縁部６ａと並行して後胴周り域２５の側を横方向へ延びる自由縁部６ｂと、第１当接縁部１２の後部１２ｂ近傍を縦方向へ延びる固定内端部６ｃと、後胴周り域２５の両側縁部８を縦方向へ延びる固定外端部６ｄとを有する。防漏シート６は、固定縁部６ａが第３当接縁部１４に固着され、固定内端部６ｃが第１当接縁部１２の後部１２ｂ近傍に固着され、さらに、固定外端部６ｄが後胴周り域２５の両側縁部８に固着されている。
【００２４】
防漏シート６は、固定内端部６ｃから固定外端部６ｄへ向かうにつれて横中心線Ｚから次第に離間するように延びている。防漏シート６の自由縁部６ｂには、横方向へ延びる伸縮性の弾性部材１６が伸長状態で取り付けられている。弾性部材１６は、自由縁部６ｂの一部に被覆されている。
【００２５】
おむつ１Ａでは、それが表面シート２を内側にして縦方向へ湾曲すると、弾性部材１５の収縮にともなって防漏カフ５の自由縁部５ｂが縦方向へ収縮し、自由縁部５ｂが表面シート２の上方へ起立する。
【００２６】
両端縁部７には、横方向へ延びる帯状の胴周り用弾性部材１０が伸長状態で取り付けられている。脚周り当接縁部９には、縦方向へ延びる複数条の脚周り用弾性部材１１が伸長状態で取り付けられている。
【００２７】
おむつ１Ａでは、後胴周り域２５の両側縁部８に一対のテープファスナ１７が取り付けられ、前胴周り域２３における裏面シート３の外面にテープファスナ１７の止着域となる矩形のターゲットテープ１８が取り付けられている。
【００２８】
テープファスナ１７は、可撓性を有するプラスチックフィルムから形成され、後胴周り域２５の両側縁部８に固着された基端部と、ターゲットテープ１８に係脱可能に止着する自由端部とを有する。テープファスナ１７は、自由端部に粘着剤（図示せず）が塗布され、自由端部が粘着剤を介して表面シート２の外面に仮着されている。ターゲットテープ１８は、可撓性を有するプラスチックフィルムから形成されている。
【００２９】
両端縁部７では、表面シート２の端部２ａと裏面シート３の端部３ａとがコア４の両端縁４ａから縦方向外方へ延び、それら端部２ａ，３ａの互いに重なり合う部分が固着されている。防漏カフ５の固定前後端部５ｃは、表面シート２の端部２ａに固着されている。胴周り用弾性部材１０は、表面シート２の端部２ａと裏面シート３の端部３ａとの間に介在し、それら端部２ａ，３ａに固着されている。
【００３０】
両側縁部８と脚周り当接縁部９とでは、表面シート２の側部２ｂがコア４の両側縁４ｂから横方向外方へわずかに延び、側部２ｂからさらに横方向外方へ裏面シート３の側部３ｂと防漏カフ５の側部５ｄとが延びている。側部２ｂと側部３ｂとは、それら側部２ｂ，３ｂの互いに重なり合う部分が固着されている。側部３ｂと側部５ｄとは、それら側部３ｂ、５ｄの互いに重なり合う部分が固着されている。防漏カフ５の固定縁部５ａは、表面シート２の側部２ｂに固着されている。脚周り用弾性部材１１は、裏面シート３の側部３ｂと防漏カフ５の側部５ｄとの間に介在し、それら側部３ｂ，５ｄに固着されている。防漏シート６の固定縁部６ａと固定内端部６ｃおよび固定外端部６ｄとは、防漏カフ５の側部５ｄに固着されている。
【００３１】
おむつ１Ａを着用するには、後胴周り域２５の両側縁部８を前胴周り域２３の両側縁部８の外側に重ね合わせ、粘着剤を介してテープファスナ１７の自由端部をターゲットテープ１８に止着する。前後胴周り域２３，２５が連結されたおむつ１Ａには、図３に示すように、胴周り開口１９と、脚周り開口２０とが画成される。
【００３２】
おむつ１Ａでは、起立した防漏カフ５の自由縁部５ｂが排泄物に対する障壁を形成する。おむつ１Ａでは、第１当接縁部１２からの排泄物の漏出が防漏カフ５によって防止される。おむつ１Ａでは、軟便や水様便等の流動性排泄物が防漏カフ５の固定後端部５ｃを乗り越え、それが第３当接縁部１４へ向かって流動したとしても、防漏シート６の自由縁部６ｂによって排泄物が堰き止められる。おむつ１Ａでは、第３当接縁部１４からの排泄物の漏出が防漏シート６によって防止される。
【００３３】
図４，５は、他の実施の形態を示す使い捨ておむつ１Ｂの部分破断斜視図と、図４のＢ−Ｂ線断面図とであり、図６は、前後胴周り域２３，２５を連結した着用状態で示す図４のおむつ１Ｂの断面斜視図である。図４では、横方向を矢印Ｘで示し、縦方向を矢印Ｙで示す。図４のおむつ１Ｂが図１のそれと異なる点は、以下のとおりである。
【００３４】
このおむつ１Ｂでは、防漏シート６が第３当接縁部１４に取り付けられ、さらに、防漏シート２１が第２当接縁部１３に取り付けられている。防漏シート２１は、防漏カフ５の外側に位置して表面シート２の外面を横方向へ延びている。
【００３５】
防漏シート２１は、実質的に非伸縮性の帯状シートから形成されている。防漏シート２１は、第２当接縁部１３に横方向へ伸長状態で取り付けられ、第１当接縁部１２の前部１２ａから前胴周り域２３の両側縁部８へ向かって延びている。
【００３６】
防漏シート２１は、第２当接縁部１３を横方向へ延びる固定縁部２１ａと、固定縁部２１ａと並行して前胴周り域２３の側を横方向へ延びる自由縁部２１ｂと、第１当接縁部１２の前部１２ａ近傍を縦方向へ延びる固定内端部２１ｃと、前胴周り域２３の両側縁部８を縦方向へ延びる固定外端部２１ｄとを有する。防漏シート２１は、固定縁部２１ａが第２当接縁部１３に固着され、固定外端部２１ｄが前胴周り域２３の両側縁部８に固着されている。
【００３７】
防漏シート２１は、固定内端部２１ｃから固定外端部２１ｄへ向かうにつれて横中心線Ｚから次第に離間するように延びている。防漏シート２１の自由縁部２１ｂには、横方向へ延びる伸縮性の弾性部材２２が伸長状態で取り付けられている。弾性部材２２は、自由縁部２１ｂの一部に被覆されている。
【００３８】
このおむつ１Ｂでは、それら防漏シート６，２１の固定内端部６ｃ，２１ｃが防漏カフ５の自由縁部５ｂに固着されている。おむつ１Ｂでは、防漏カフ５の自由縁部５ｂが表面シート２の上方へ起立することにともなって、防漏シート６，２１の自由縁部６ｂ，２１ｂが表面シート２の上方へ持ち上げられるので、防漏カフ５の自由縁部５ｂと防漏シート６，２１の自由縁部６ｂ，２１ｂとが排泄物に対する障壁を形成する。このおむつ１Ｂでは、軟便や水様便等の流動性排泄物が防漏シート６，２１の自由縁部６ｂ，２１ｂを乗り越えてしまうことを防ぐことができる。
【００３９】
おむつ１Ｂでは、流動性排泄物が防漏カフ５の固定前後端部５ｃを乗り越え、それが第２および第３当接縁部１３，１４へ向かって流動したとしても、防漏シート６，２１の自由縁部６ｂ，２１ｂによって排泄物が堰き止められる。おむつ１Ｂでは、第２および第３当接縁部１３，１４からの排泄物の漏出がそれら防漏シート６，２１によって防止される。
【００４０】
それら図示例のおむつ１Ａ，１Ｂでは、それを着用したときに、防漏シート６，２１の自由縁部６ｂ，２１ｂに取り付けられた弾性部材１６，２２が横方向外方へ伸長し、脚周り用弾性部材１１と相俟って、弾性部材１６，２２が着用者の脚周りを締め付けるので、第２および第３当接縁部１３，１４を着用者の脚周りに密着させることができる。
【００４１】
それら図示例のおむつ１Ａ，１Ｂでは、防漏カフ５と防漏シート６，２１とが弾性的な伸縮性を有する帯状シートから形成されていてもよい。この場合は、それらの自由縁部５ｂ，６ｂ，２１ｂに対する弾性部材１５，１６，２２の取り付けを省くことができる。
【００４２】
表面シート２には、親水性繊維不織布、または、微細な多数の開孔を有するプラスチックフィルムを使用することができる。裏面シート３には、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。防漏カフ５と防漏シート６，２１とには、疎水性繊維不織布を使用することができる。
【００４３】
裏面シート３や防漏カフ５、防漏シート６，２１には、高い耐水性を有するメルトブローン法による繊維不織布を、高い強度を有しかつ柔軟性に富んだスパンボンド法による繊維不織布で挟んだ複合不織布を使用することもできる。
【００４４】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維または並列型複合繊維を使用することができる。
【００４５】
防漏カフ５と防漏シート６，２１とが伸縮性のシートから形成されている場合は、伸縮性を有する疎水性繊維不織布を使用することができる。伸縮性繊維不織布としては、メルトブローンやスパンボンドの各製法により製造されたものを使用することができる。伸縮性繊維不織布の構成繊維としては、熱可塑性エラストマー樹脂を溶融、紡糸した伸縮性繊維を使用することができる。また、防漏カフと防漏シートとには、熱可塑性エラストマー樹脂繊維からなる伸縮性かつ疎水性繊維不織布の少なくとも片面に、ポリプロピレン、ポリエチレン、ポリエステル、のいずれかの熱可塑性合成樹脂を溶融、紡糸した捲縮繊維からなる疎水性繊維不織布を貼り合わせた複合不織布を使用することもできる。
【００４６】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、ポリマー粒子の脱落や型崩れを防止するためにその全体がティッシュペーパーに被覆されていることが好ましい。ポリマー粒子としては、デンプン系、セルロース系、合成ポリマー系のものを使用することができる。
【００４７】
表裏面シート２，３の固着や防漏カフ５の固着、防漏シート６，２１の固着、コア４の接合、弾性部材１０，１５，１６，２２の取り付けには、ホットメルト型接着剤、または、ヒートシールや超音波接合等の熱による溶着手段を利用することができる。
【００４８】
この発明は、開放型のおむつの他に、前後胴周り域があらかじめ連結されたパンツ型のおむつにも実施することができる。
【００４９】
【発明の効果】
本発明にかかる使い捨て着用物品によれば、軟便や水様便等の流動性排泄物が第２および第３当接縁部へ向かって流動したとしても、防漏シートの自由縁部によって排泄物が堰き止められる。この物品では、第２および第３当接縁部からの排泄物の漏出が防漏シートによって防止される。
【００５０】
脚周り当接縁部近傍に縦方向へ延びる防漏カフが取り付けられた物品では、起立した防漏カフの自由縁部が排泄物に対する障壁を形成し、第１当接縁部からの排泄物の漏出が防漏カフによって防止される。防漏カフの固定前後端部を乗り越えて第２および第３当接縁部へ向かって流動した排泄物は、防漏シートの自由縁部によって堰き止められる。
【００５１】
防漏シートの固定内端部が防漏カフの自由縁部に固着された物品では、防漏カフの自由縁部が表面シートの上方へ起立することにともなって、防漏シートの自由縁部が表面シートの上方へ持ち上げられるので、自由縁部が排泄物に対する障壁を形成し、第２および第３当接縁部からの排泄物の漏出防止を向上させることができる。
【００５２】
また、それら物品では、脚周り用弾性部材と相俟って、防漏シートの自由縁部に取り付けられた弾性部材が着用者の脚周りを締め付けるので、第２および第３当接縁部を着用者の脚周りに密着させることができる。
【図面の簡単な説明】
【図１】  表面シートの側から示すおむつの部分破断斜視図。
【図２】  図１のＡ−Ａ線断面図。
【図３】  前後胴周り域を連結した着用状態で示す図１のおむつの部分破断斜視図。
【図４】  他の実施の形態を示す使い捨ておむつの部分破断斜視図。
【図５】  図５のＢ−Ｂ線断面図。
【図６】  前後胴周り域を連結した着用状態で示す図４のおむつの部分破断斜視図。
【符号の説明】
１Ａ          使い捨ておむつ（使い捨て着用物品）
１Ｂ          使い捨ておむつ（使い捨て着用物品）
２            透液性表面シート
３            不透液性裏面シート
４            吸液性コア
５            防漏カフ
５ａ          固定縁部
５ｂ          自由縁部
５ｃ          固定前後端部
６            防漏シート
６ａ          固定縁部
６ｂ          自由縁部
６ｃ          固定内端部
６ｄ          固定外端部
９            脚周り当接縁部
１２            第１当接縁部
１２ａ          前部
１２ｂ          後部
１３            第２当接縁部
１４            第３当接縁部
１５            弾性部材（第１弾性部材）
１６            弾性部材（第２弾性部材）
２１            防漏シート
２１ａ          固定縁部
２１ｂ          自由縁部
２１ｃ          固定内端部
２１ｄ          固定外端部
２２            弾性部材（第２弾性部材）
２３            前胴周り域
２４            股下域
２５            後胴周り域
Ｚ            横中心線
【図１】
0003807946.tif 000002
【図２】
0003807946.tif 000003
【図３】
0003807946.tif 000004
【図４】
0003807946.tif 000005
【図５】
0003807946.tif 000006
【図６】
0003807946.tif 000007